(57)【要約】      （修正有）【課題】キーを隠し、パスも名前等が読み取られないようにして防犯効果を高め、更にパスとキーの引き出しを容易に行うことができるリール付きパス・キーケースを提供する。【解決手段】本体が折り畳まれる構成で、内側にキーを装着するスナップベルト１５、二重リングが形成され、外側にパスを収納する収納部１３が形成され、パスの挿入口にはパスの落下を防止するスナップベルト１５、スナップボタン１７が設けられ、本体が開くのを防止するベルト部１１、面ファスナー１２が設けられる。また、スナップベルト１５はリール側に二重リング１６が取り付けられており、その二重リング１６がリール式のホルダー１８のリールの先端に接続している。【選択図】図１
0003206706.tif 000002
【実用新案登録請求の範囲】
【請求項１】
渦巻きバネを利用してリールを伸縮するリール式のホルダーを備え、キーを装着してパスを収納するリール付きパス・キーケースであって、
折り畳まれる構成の本体に、前記本体の内側にキーを装着する装着部と、前記本体の外側にパスを収納する収納部と、前記収納部のパスの挿入口を固定する第１の固定部と、前記本体に前記リールを接続する接続部と、前記本体が開くのを防止して固定する第２の固定部とを備えることを特徴とするリール付きパス・キーケース。
【請求項２】
収納部は、中央にパスの名前が読み取られない程度の大きさの窓部を有することを特徴とする請求項１記載のリール付きパス・キーケース。
【請求項３】
リール式のホルダーに、引き出すときにロック状態を解除するロック機構を設けたことを特徴とする請求項１又は２記載のリール付きパス・キーケース。
【請求項４】
第２の固定部は、面ファスナーを用いたことを特徴とする請求項１乃至３のいずれか記載のリール付きパス・キーケース。
【請求項５】
第１の固定部は、スナップボタンを用いたことを特徴とする請求項１乃至４のいずれか記載のリール付きパス・キーケース。
【考案の詳細な説明】
【技術分野】
【０００１】
本考案は、リール付きのパス（定期券）とキーのケースに係り、特に、ランドセル等に取り付けた場合に、パスとキーを一緒に引き出して利便性を向上させたリール付きパス・キーケースに関する。
【背景技術】
【０００２】
［先行技術の説明］
従来、キーを取り付けられるリール式のキーボルダーは数多く販売されており、更に、そのリール式のキーボルダーにパスケースを取り付けることも行われている。
【０００３】
［関連技術］
尚、関連する先行技術としては、実用新案登録第２５１９２２６号公報「引き延ばし式キーホルダー」（有限会社アパン）［特許文献１］、実用新案登録第３１７１７０４号公報「バックチャーム」（株式会社ノルコーポレーション）［特許文献２］、実用新案登録第３１３０９０６号公報「パスケース」（株式会社レイメイ藤井、株式会社スリーライク）［特許文献３］がある。
【０００４】
特許文献１には、渦巻きバネによるリールを引き延ばすキーホルダーが記載されている。
特許文献２には、リール式キーホルダーをくまのキャラクターの装飾部で覆い、裏側に定期入れを設け、更に装飾部からキーを引き出すことが記載されている。
特許文献３には、吊り下げ用ストラップを用いたパスケースが記載されている。
【先行技術文献】
【特許文献】
【０００５】
【特許文献１】実用新案登録第２５１９２２６号公報
【特許文献２】実用新案登録第３１７１７０４号公報
【特許文献３】実用新案登録第３１３０９０６号公報
【考案の概要】
【考案が解決しようとする課題】
【０００６】
しかしながら、従来のパスケースでは、キーを隠し、パスも名前等を読み取られないようにして、キーとパスの引き出しを容易にできるものとはなっていないという問題点があった。
【０００７】
尚、特許文献１には、リール式キーホルダーにキーを装着することは示されているが、キーを隠す構成とはなっていない。
【０００８】
また、特許文献２には、キーを隠す構成が示されているが、キーを取り出すときに、まず伸縮性の紐が延びて、それが延びきった後に、更に装飾部内のリール式キーホルダーが延びる構成であるため、使い勝手が悪いものとなっている。更に、特許文献２では、パスについては広い開口部があるため、その開口部からパスに印刷された名前等を他人に読み取られる心配がある。
【０００９】
また、特許文献３には、伸縮性の吊り下げ用ストラップにパスケースを取り付けた構成であってキーを隠す構成は記載されていない。
【００１０】
本考案は上記実状に鑑みて為されたもので、キーを隠し、パスも名前等が読み取られないようにして防犯効果を高め、更にパスとキーの引き出しを容易に行うことができるリール付きパス・キーケースを提供することを目的とする。
【課題を解決するための手段】
【００１１】
上記従来例の問題点を解決するための本考案は、渦巻きバネを利用してリールを伸縮するリール式のホルダーを備え、キーを装着してパスを収納するリール付きパス・キーケースであって、折り畳まれる構成の本体に、本体の内側にキーを装着する装着部と、本体の外側にパスを収納する収納部と、収納部のパスの挿入口を固定する第１の固定部と、本体にリールを接続する接続部と、本体が開くのを防止して固定する第２の固定部とを備えることを特徴とする。
【００１２】
また、本考案は、上記リール付きパス・キーケースにおいて、収納部が、中央にパスの名前が読み取られない程度の大きさの窓部を有することを特徴とする。
【００１３】
また、本考案は、上記リール付きパス・キーケースにおいて、リール式のホルダーに、引き出すときにロック状態を解除するロック機構を設けたことを特徴とする。
【００１４】
また、本考案は、上記リール付きパス・キーケースにおいて、第２の固定部が、面ファスナーを用いたことを特徴とする。
【００１５】
また、本考案は、上記リール付きパス・キーケースにおいて、第１の固定部が、スナップボタンを用いたことを特徴とする。
【考案の効果】
【００１６】
本考案によれば、リール式のホルダーを有し、折り畳まれる構成の本体に、本体の内側にキーを装着する装着部と、本体の外側にパスを収納する収納部と、収納部のパスの挿入口を固定する第１の固定部と、本体にリールを接続する接続部と、本体が開くのを防止して固定する第２の固定部とを備えるリール付きパス・キーケースとしているので、キーを隠し、パスも名前等が読み取られない程度に隠して防犯効果を高め、更に、パスとキーの引き出しを容易に行うことができる効果がある。
【図面の簡単な説明】
【００１７】
【図１】本ケースの開いた状態の外側説明図である。
【図２】本ケースの開いた状態の内側説明図である。
【図３】本ケースの閉じた状態の正面説明図である。
【図４】本ケースの閉じた状態の背面説明図である。
【図５】リール式ホルダーのロック機構を説明するための概略図である。
【図６】本ケースの使用状態の例を示す概略図である。
【考案を実施するための形態】
【００１８】
本考案の実施の形態について図面を参照しながら説明する。
［実施の形態の概要］
本考案の実施の形態に係るリール付きパス・キーケースは、渦巻きバネを利用してリールを伸縮するリール式のホルダーを備え、本体が折り畳まれる構成で、内側にキーを装着する装着部が形成され、外側にパスを収納する収納部が形成され、収納部のパスの挿入口にはパスの落下を防止する第１の固定部が設けられ、本体が開くのを防止する第２の固定部が設けられ、更に本体にリールを接続する接続部を備えたものとしているので、キーを隠し、パスも名前等が読み取られない程度に隠して防犯効果を高め、更に、パスとキーの引き出しを容易に行うことができるものである。
【００１９】
［本ケース：図１〜４］
本考案の実施の形態に係るリール付きパス・キーケース（本ケース）について、図１〜４を参照しながら説明する。図１は、本ケースの開いた状態の外側説明図であり、図２は、本ケースの開いた状態の内側説明図であり、図３は、本ケースの閉じた状態の正面説明図であり、図４は、本ケースの閉じた状態の背面説明図である。
【００２０】
［本ケースの本体外側：図１］
本ケースの本体外側は、図１に示すように、中央縦方向を軸として左右が外側（図１では奥側）に折り畳まれる構成であり、外側面１０において、軸の左側にパスを収納する収納部（パスポケット）１３が形成されている。
［収納部１３］
収納部１３の中央にはパスの名前が読み取られない程度の大きさの丸いパス窓１４が設けられ、リール側からパスを挿入する挿入口が形成されている。
【００２１】
［第１の固定部］
その挿入口からパスが落下しないように、スナップベルト１５が形成され、挿入口でスナップボタン１７で固定される。この２つの構成が請求項の「第１の固定部」に相当する。
具体的には、スナップベルト１５はリール側で固定され、スナップベルト１５の端部にスナップボタン１７の一方を取り付ける。そして、挿入口近くの収納部１３の表面にスナップボタンの他方を取り付け、スナップベルト１５のスナップボタン１７の一方と収納部１３のスナップボタンの他方とを重ね合わせて固定する。
【００２２】
［リール式のホルダー１８］
また、スナップベルト１５はリール側に二重リング１６が取り付けられており、その二重リング１６がリール式のホルダー１８のリールの先端に接続している。
リール式のホルダー１８は、渦巻きバネを利用してリールを伸縮させるホルダー（リール式ホルダー）であり、ホルダーからリールを引き出し、手を離すとバネの力でホルダー１８にリールを巻き戻せるものである。
また、リール式ホルダー１８は、後述するように、引き出すときにロックを解除するためのロック機能を備えている。
【００２３】
［カラビナフック１９］
更に、リールを引き出す側とは反対側のリール式ホルダー１８には、カラビナフック（ナスカン）１９が取り付けられている。
カラビナフック１９は、一部か開閉可能な環状となっており、ツメを操作して一部の開閉を行う。これにより、バッグやランドセルに取り付け可能となる。
【００２４】
［外側の第２の固定部］
外側面１０において、軸の右側の端部中央に面ファスナー１２が形成され、軸の左側の端部中央に突出したベルト部１１が形成され、そのベルト部１１の裏側には面ファスナー１２に対応する面ファスナーが形成されている。ここで、ベルト部１１と、その裏側のベルト部と、裏側の面ファスナー、面ファスナー１２が請求項における「第２の固定部」に相当する。
【００２５】
［本ケースの本体内側：図２］
本ケースの本体内側は、図２に示すように、中央縦方向を軸として左右が内側（図２では手前側）に折り畳まれる構成であり、内側面２０において、軸の右側にキーを装着する装着部が形成され、右側の端部中央に突出したベルト部２１が形成されている。
【００２６】
［内側の第２の固定部］
ベルト部２１は、外側面のベルト部１１の裏側となるもので、その中央に面ファスナー２２が形成され、外側面の面ファスナー１２と着脱可能に接着するものである。
ベルト部１１と、面ファスナー１２と、ベルト部２１と、面ファスナー２２で、請求項における「第２の固定部」を構成している。
【００２７】
［装着部］
キーの装着部は、外側のスナップベルト１５が内側に折り返されて、キーを通す二重リング２３を貫通して内側面２０の端部で固定されている。
尚、リール式ホルダー１８のリールに接続する二重リング１６を貫通したスナップベルト１５は、内側面の端部で一旦固定されて、内側面に延びて二重リング２３を貫通するものである。
【００２８】
［本体構成］
本ケースの本体は、折り畳む中央部分には板芯は挿入されておらず、その他の部分には強度を持たせるために板芯を挿入して形成している。
つまり、外側面１０の素材と内側面２０の素材を張り合わせるときに、中央部分に板芯を挿入せず、更に、左右の板芯が内部で動かないように、周囲を縫うときに板芯も一緒に縫い込むようにする。
【００２９】
［本ケースの本体が閉じた状態の正面：図３］
本ケースの本体が閉じた状態の正面は、図３に示すように、外側面１０がベルト部１１によって開かないよう固定された状態である。
ベルト部１１の裏面の面ファスナー２２と外側面１０に設けられた面ファスナー１２が接着して、意図せずに開いてしまうことがない。
また、本ケースの本体上部で二重リング１６を介してリール式ホルダー１８のリール先端に接続している。
【００３０】
［本ケースの本体が閉じた状態の背面：図４］
本ケースの本体が閉じた状態の背面は、図４に示すように、外側面１０にパスの収納部１３が配置された状態となり、その収納部１３の中央部に丸いパス窓１４がある。
また、収納部１３のパスの挿入口には第１の固定部となるスナップベルト１５とスナップボタン１７で、パスの落下を防止している。
【００３１】
［リール式ホルダー１８のロック機構］
次に、リール式ホルダー１８のロック機構について、図５を参照しながら説明する。図５は、リール式ホルダーのロック機構を説明するための概略図である。
図５に示すように、ロック機構は、バックル式の固定具に似ており、ホルダー１８側に設けられた凹部１８ａと、二重リング１６（リール１８ｃの先端）に取り付けられた凸部１８ｂで構成されている。
【００３２】
凸部１８ｂが凹部１８ａの奥まで挿入されると、凸部１８ｂの一部が凹部１８ａのツメに掛かり両者が固定されてロックされた状態になる。そして、凹部１８ａのツメを押してリール１８ｃを引っ張ると、ロックが解除される。
ここで、凸部１８ｂに接続するリール１８ｃは、凹部１８ａの中を通って引き出される構成となっており、凹部１８ａと凸部１８ｂが分離したとしても、リール１８ｃによってバラバラになることはない。
【００３３】
このロック機構によって、リール１８ｃをホルダー１８に確実に収納でき、携帯時の本ケースのバタツキを防止でき、バッグやランドセルに取り付けた本ケースが何かの弾みで誤って引き出されることを防止できる。
つまり、携帯時に本ケースを保護でき、使用者の安全を図ることができる効果がある。
【００３４】
［本ケースの使用状態］
次に、本ケースの使用状態について図６を参照しながら説明する。図６は、本ケースの使用状態の例を示す概略図である。
図６に示すように、本ケースのカラビナフック１９がランドセルの肩掛けベルトに設けられたＤ環に接続され、リール式ホルダー１８からリール１８ｃを引き延ばして本体を引き出して、キー３０を取り出したものとなっている。
【００３５】
リール式ホルダー１８側に凹部１８ａが残り、本体側の二重リング１６に凸部１８ｂが引き出された状態となっている。
無論、本ケースの本体をリール式ホルダー１８から引き出す場合には、凹部１８ａのツメを押してロックを解除する必要がある。
【００３６】
キー３０やパスを利用した後は、リール１８ｃはリール式ホルダー１８に巻き戻されることになるが、凸部１８ｂを凹部１８ａに完全に挿入しないとロックされないため、使用後は、凸部１８ｂと凹部１８ａのロックを確認する必要がある。
【００３７】
［実施の形態の効果］
本ケースによれば、渦巻きバネを利用してリール１８ｃを伸縮するリール式ホルダー１８を備え、本体が折り畳まれる構成で、内側にキー３０を装着する装着部（スナップベルト１５，二重リング２３）が形成され、外側にパスを収納する収納部１３が形成され、収納部１３のパスの挿入口にはパスの落下を防止するスナップベルト１５，スナップボタン１７が設けられ、本体が開くのを防止するベルト部１１，２１、面ファスナー１２，２２が設けられ、更に本体にリール１８ｃを接続する二重リング１６を備えたものとしているので、キー３０を隠し、パス窓１４によりパスも名前等が読み取られない程度に隠して防犯効果を高めると共に、パスとキーの引き出しを容易に行うことができる効果がある。
【産業上の利用可能性】
【００３８】
本考案は、キーを隠し、パスも名前等が読み取られないようにして防犯効果を高め、更にパスとキーの引き出しを容易に行うことができるリール付きパス・キーケースに適している。
【符号の説明】
【００３９】
１０...外側面、  １１...ベルト部、  １２...面ファスナー、  １３...収納部、  １４...パス窓、  １５...スナップベルト、  １６...二重リング、  １７...スナップボタン、  １８...リール式ホルダー、  １８ａ...凹部、  １８ｂ...凸部、  １８ｃ...リール、  １９...カラビナフック、  ２０...内側面、  ２１...ベルト部、  ２２...面ファスナー、  ２３...二重リング、  ３０...キー
【図１】
0003206706.tif 000003
【図２】
0003206706.tif 000004
【図３】
0003206706.tif 000005
【図４】
0003206706.tif 000006
【図５】
0003206706.tif 000007
【図６】
0003206706.tif 000008